(57)【要約】      （修正有）【課題】  露光処理が中断された場合に、オペレータが速やかに作業を再開できる写真処理装置を提供する。【解決手段】露光部３０の現像部４０への印画紙７１の供給口近傍に光センサ７５を配置する。露光制御部３７は、光センサ７５の出力信号を監視することによって、露光部３０内でエラーが発生することによって露光処理が中断されたことを検知すると共に、写真フィルム８０の複数のコマ画像のなかのどの画像が形成された印画紙７１までが写真プリントとして排出されるかを検知する。そして、露光部３０での露光処理が中断された場合には、写真処理装置１から最後に排出される写真プリントに形成されている画像をディスプレイ６１に表示する。【選択図】図１
2005073136.tif 000002
【特許請求の範囲】
【請求項１】
第１の読み取りモードおよびこれよりも解像度の高い第２の読み取りモードのいずれかにおいて画像表示媒体に表示された複数の画像を読み取ることにより画像データを取得可能な画像読取部と、
前記画像読取部の第１の読み取りモードにおいて得られた複数の画像についての画像データを記憶する第１の記憶部と、
前記画像読取部の第２の読み取りモードにおいて得られた複数の画像についての画像データを記憶する第２の記憶部と、
前記第２の記憶部に記憶された複数の画像についての画像データに基づいて複数の感光材料に対して連続的に露光処理を施す露光部と、
前記露光部により露光処理が施された感光材料に対して現像処理を施す現像部と、
前記露光部における露光処理の中断を検知する第１の検知部と、
前記露光部により露光処理が施された複数の感光材料のそれぞれについて前記現像部における現像処理が施されるか否かを検知する第２の検知部と、
表示部と、
前記露光部により露光処理が施された場合に、前記第２の記憶部に記憶された露光処理が終了した画像データを消去すると共に、前記第１の検知部により前記露光部における露光処理が中断されたのが検知された場合に、前記第２の記憶部に記憶された画像データを消去する消去部と、
前記第１の検知部により前記露光部における露光処理が中断されたのが検知された場合に、前記第２の検知部により現像処理が施されると検知された感光材料のなかの最後尾の感光材料に係る画像または前記第２の検知部により現像処理が施されないと検知された感光材料のなかの先頭の感光材料に係る画像を、前記第１の記憶部に記憶された画像データを利用して前記表示部に表示させる表示制御部とを備えていることを特徴とする写真処理装置。
【請求項２】
前記第１の検知部は、前記露光部における露光処理の中断がオペレータの中断命令に基づくものか否かを検知することが可能であることを特徴とする請求項１に記載の写真処理装置。
【発明の詳細な説明】
【技術分野】
【０００１】
本発明は、画像表示媒体に表示された画像についての画像データに基づいて感光材料に対して露光処理を施した後で、その感光材料に対して現像処理を施す写真処理装置に関する。
【背景技術】
【０００２】
写真処理装置では、写真フィルムに記録された複数のコマ画像がスキャナ部によって読み取られることにより得られた画像データに基づいて、露光部において複数の印画紙に対して連続的に露光処理が施される。その後、露光処理済みの印画紙に対して現像部における現像処理等が施されることによって写真プリントが作成される（例えば、特許文献１参照）。
【０００３】
かかる写真処理装置では、まず写真フィルムの複数の画像について連続的にプレスキャニングが行われる。そして、プレスキャニングにより得られた画像データに基づいて、色補正および濃度補正等の画像処理に用いられる補正量が決定される。その後、本スキャニングにより得られた画像データに対して画像処理が施された後で、画像処理済みの画像データに基づいて露光処理が施される。
【０００４】
ここで、本スキャニングおよびプレスキャニングによりそれぞれ得られる画像データである本スキャンデータおよびプレスキャンデータ（特に本スキャンデータ）のデータサイズは非常に大きい。従って、写真処理装置において、全ての画像の写真プリントが完成するまで、これらの全ての画像データを記憶しておくためには大容量のメモリ（記憶装置）が必要となり、コスト面で問題となる。このため、かかる写真処理装置では、種々の処理に用いられて不要となった画像データ（例えば露光処理済みの画像についての画像データなど）は順次消去されるようになっている。
【０００５】
【特許文献１】特開２００１−０４２４６０号公報（第５−７頁、第１図）
【発明の開示】
【発明が解決しようとする課題】
【０００６】
このように、露光処理済みの印画紙が自動的に露光部から現像部に供給されて、現像部での現像処理等が施される写真処理装置において、例えば露光部内において露光処理済みの印画紙が詰まる等のエラーが発生することによって、露光部での露光処理が中断される場合がある。このような場合には、露光部内においてエラーが発生した時点で、露光部から現像部に既に供給されている印画紙についてはそのまま現像処理等が施されて、最終的に写真プリントとして排出される。
【０００７】
一方、露光部内においてエラーが発生した時点で、露光部から現像部にまだ供給されていない印画紙については、露光部内でのエラーを解消する際に破棄される。従って、露光部内に露光処理済みの印画紙が残っている場合でも、それらの印画紙は露光処理が施されたにも拘わらず現像処理等が施されることなく破棄されることになる。そのため、現像処理等が施されることなく破棄される印画紙に露光処理が施されたコマ画像については、露光部内でのエラーを解消した後で、再度、露光処理をやり直さなくてはならない。ところが、上述したように、露光処理済みの画像についての画像データ（プレスキャンデータおよび本スキャンデータ）はいずれもメモリから消去されている場合には、スキャナ部によって、もう一度、写真フィルムに記録されたコマ画像のプレスキャニングおよび本スキャニングを行い、画像データを取得する必要がある。
【０００８】
このとき、オペレータは、写真フィルムに記録された複数のコマ画像のなかのどのコマ画像が露光処理された印画紙までが写真プリントとして排出されるのかは、実際に写真処理装置から写真プリントが排出されるまで待たなければ知ることはできない。このため、オペレータは、露光部内でのエラーを解消したとしても、写真処理装置から全ての写真プリントが排出されるまでは作業を再開することができない。
【０００９】
従って、中断後の作業を速やかに再開するためには、露光された後で現像部に供給された印画紙の枚数を検知しておいて、プレスキャニングで得られた画像の最初の画像から上記枚数の画像を除いて、次の画像から露光処理を再開すればよいと判断することが考えられる。
【００１０】
ここで、写真フィルムに記録されたコマ画像についての画像データを取得する際には、フィルム先端部近傍の最初の画像のスキャニングが適正に行われないでフィルム先端部から２番目の画像からスキャニングが行われることがある。つまり、フィルムベース部分の濃度（ネガフィルムであれば、透き抜けて無色透明）と、フィルムコマとが偶然同じような濃度（プリント発色物として黒く発色する画像部分はネガフィルム上では透明に近くなる。コマエッジ付近が黒い背景の写真プリントである場合）であれば、フィルムからコマ数を正確に読み取ることができない。ときとしてコマ数をカウントしたり、できなかったりすることになる。このような場合には、中断後の作業を再開する画像を、露光された後で現像部に供給された印画紙の枚数で特定すると、画像がずれることがある。
【００１１】
そこで、本発明の１つの目的は、露光処理が中断された場合に、オペレータが速やかに作業を再開することができる写真処理装置を提供することである。
【課題を解決するための装置及び効果】
【００１２】
本発明の写真処理装置は、第１の読み取りモードおよびこれよりも解像度の高い第２の読み取りモードのいずれかにおいて画像表示媒体に表示された複数の画像を読み取ることにより画像データを取得可能な画像読取部と、前記画像読取部の第１の読み取りモードにおいて得られた複数の画像についての画像データを記憶する第１の記憶部と、前記画像読取部の第２の読み取りモードにおいて得られた複数の画像についての画像データを記憶する第２の記憶部と、前記第２の記憶部に記憶された複数の画像についての画像データに基づいて複数の感光材料に対して連続的に露光処理を施す露光部と、前記露光部により露光処理が施された感光材料に対して現像処理を施す現像部と、前記露光部における露光処理の中断を検知する第１の検知部と、前記露光部により露光処理が施された複数の感光材料のそれぞれについて前記現像部における現像処理が施されるか否かを検知する第２の検知部と、表示部と、前記露光部により露光処理が施された場合に、前記第２の記憶部に記憶された露光処理が終了した画像データを消去すると共に、前記第１の検知部により前記露光部における露光処理が中断されたのが検知された場合に、前記第２の記憶部に記憶された画像データを消去する消去部と、前記第１の検知部により前記露光部における露光処理が中断されたのが検知された場合に、前記第２の検知部により現像処理が施されると検知された感光材料のなかの最後尾の感光材料に係る画像または前記第２の検知部により現像処理が施されないと検知された感光材料のなかの先頭の感光材料に係る画像を、前記第１の記憶部に記憶された画像データを利用して前記表示部に表示させる表示制御部とを備えている。
【００１３】
この構成によると、画像表示媒体に表示された複数の画像のなかのどの画像が露光された感光材料までについて現像処理が施されるかを容易に知ることができる。従って、露光処理が中断された場合に、オペレータは、写真処理装置における現像処理が終了するまで待つことなく、現像処理が施されない感光材料に対応する画像について、速やかに作業を再開することが可能となる。また、現像処理が施される最後尾の感光材料に係る画像または現像処理が施されない先頭の感光材料に係る画像が表示部に表示されるので、画像表示媒体に表示された複数の画像のなかのどの画像から作業を再開すればよいかを確実に検知することができる。
【００１４】
本発明の写真処理装置においては、前記第１の検知部は、前記露光部における露光処理の中断がオペレータの中断命令に基づくものか否かを検知することが可能である。
【００１５】
この構成によると、露光部における露光処理の中断が、オペレータの中断命令基づくものである場合に、既に露光処理が施された感光材料の全てを現像部へ供給することによって、露光処理が施された感光材料のすべてに対して現像処理が施されるようになる。その結果、露光処理が施されたにも拘わらず現像処理が施されないで破棄される感光材料をなくすことができる。従って、感光材料が無駄になるのを抑制することができる。
【発明を実施するための最良の形態】
【００１６】
以下、本発明の好適な一実施の形態について、図面を参照しつつ説明する。図１は、本実施の形態に係る写真処理装置の概略構成を示す図である。
【００１７】
図１に示すように、本実施の形態の写真処理装置１は、スキャナ部１０と、制御部２０と、露光部３０と、現像部４０と、仕上げ処理部５０と、インターフェイス部６０とを有している。
【００１８】
スキャナ部１０では、主に写真フィルム８０（図３参照）に記録されたコマ画像の読み取り処理が行われる。スキャナ部１０は、フィルム８０が装着されるフィルム装着ユニット１１と、スキャニング時にフィルム８０を照射する光源が収納されたスキャナ光源ユニット１２とを有している。また、フィルム装着ユニット１１の下方にはフィルム画像を撮像するためのＣＣＤなどの撮像素子（図示せず）がライン状に配置されている。そして、撮像素子から出力される画像信号は、図示しないＡ／Ｄコンバータでデジタル信号に変換された後に、制御部２０に供給される。
【００１９】
ここで、スキャナ部１０では、２つの読み取りモードにおける画像の読み取りを行うことができる。すなわち、スキャナ部１０では、露光処理に用いられる詳細な画像データを得る本スキャニングと、本スキャニングにより得られた画像データに対して色補正および濃度補正等の画像処理を施す際に用いられる補正値を決定するための画像データを得るプレスキャニングとが行われる。
【００２０】
制御部２０では、写真処理装置１の各部の制御などが行われる。制御部２０は、例えば汎用のパーソナルコンピュータなどを有しており、それに搭載されたハードディスクには汎用のＯＳのほか、写真処理装置１についての制御プログラムを含む各種ソフトウェアが記憶されている。
【００２１】
制御部２０は、図２に示すように、ＣＰＵ２１と、メインメモリ２２と、画像処理基板２３とを有している。ＣＰＵ２１は、写真処理装置１の動作を制御する信号を生成するために種々の演算を実行し、演算結果に応じて写真処理装置１の各部に動作命令を出力する。
【００２２】
メインメモリ２２には、写真処理装置１の制御に必要なプログラムや動作に必要な情報や、スキャナ部１０によるプレスキャニングによって得られたプレスキャンデータなどが記憶される。画像処理基板２３は、スキャナ部１０から出力された画像データを記憶するための入力メモリ２３１と、入力メモリ２３１に記憶された画像データに対して色補正や濃度補正、鮮鋭化処理などの各種の画像処理を行う画像処理チップ２３２と、露光部３０に出力するために画像処理済みの画像データを記憶するための出力メモリ２３３とを有している。
【００２３】
露光部３０では、画像処理が施された画像データに基づいて、感光材料である印画紙７１に対して露光処理が施される。露光部３０は、巻回された長尺の印画紙７１をそれぞれ収納する２つのペーパーマガジン３１ａ、３１ｂと、ペーパーマガジン３１ａ、３１ｂから印画紙７１を引き出すアドバンスユニット３２と、ペーパーマガジン３１ａ、３１ｂから引き出された所定幅を有する印画紙７１を幅方向に沿ってプリントサイズに応じた所望の長さに切断するカッター３３と、印画紙７１の感光乳剤層が形成されていない面（裏面）に所望の文字を印字するための印字ユニット３４と、所望の長さに切断された印画紙７１を露光位置の前段にまで２〜３列で並列搬送するチャッカ３５と、印画紙７１に露光処理を施すための露光ユニット３６と、露光部３０全体を制御する露光制御部３７と、印画紙７１を搬送するための複数の搬送ローラ対３８ａ〜３８eと、搬送ローラ対３８ａ〜３８eを駆動するためのモータ３９とを有している。
【００２４】
また、露光部３０の最も下流側近傍（現像部４０への印画紙７１の供給口近傍）には、印画紙７１の搬送経路を挟んで対向するように配置されたＬＥＤなどの発光素子およびこれから出射される光を受光可能な位置に配置されたフォトダイオードなどの受光素子との対を含む光センサ７５が配置されている。そして、光センサ７５は露光制御部３７に接続されている。
【００２５】
ここで、光センサ７５において、発光素子から出射された光を受光素子で受光することができた場合には、両者の間に印画紙７１が存在していないことになり、受光することができなかった場合には、両者の間に印画紙７１が存在していることになる。従って、露光制御部３７は、光センサ７５の出力信号の変化を検知することによって、光センサ７５に対応する位置を通過する印画紙７１の枚数、すなわち、露光部３０から現像部４０に供給された印画紙７１の枚数を知ることができる。
【００２６】
露光制御部３７は、図２に示すように、露光中断検知部３７１と、最終プリント検知部３７２と、周辺メモリ３７３とを有している。露光中断検知部３７１は、露光部３０での露光処理が中断されたことを検知する。ここで、露光中断検知部３７１は、光センサ７５の出力信号の変化を監視することによって所定時間が経過しても印画紙７１が検出されない場合に、例えば露光部３０内での紙詰まりの発生などのエラーによって露光部３０での露光処理が中断されたことを検知する。また、露光中断検知部３７１は、オペレータからの露光処理の中断命令を受けた場合に、露光部３０での露光処理が中断されたことを検知する。
【００２７】
最終プリント検知部３７２は、露光中断検知部３７１により露光部３０での露光処理が中断されたことが検知された場合に、写真処理装置１から最後に排出される写真プリントに形成されている画像（最終プリント画像）を検知する。
【００２８】
ここで、最終プリント検知部３７２は、露光部３０内でのエラーによって露光部３０での露光処理が中断された場合には、露光中断検知部３７１で中断が検知された時点において、露光部３０から現像部４０に既に供給されている印画紙７１のなかの最後尾の印画紙７１に露光されている画像を最終プリント画像として検知する。なお、本実施の形態では、露光中断検知部３７１で中断が検知された時点において、露光制御部３７が光センサ７５の出力信号に基づいて検知した露光部３０から現像部４０に供給された印画紙７１の枚数と、制御部２０のメインメモリ２２に記憶されているプレスキャンデータとから最終プリント画像が特定される。
【００２９】
一方、最終プリント検知部３７２は、オペレータの中断命令によって露光部３０での露光処理が中断された場合には、露光中断検知部３７１で中断が検知された時点において、露光部３０で露光処理が施された印画紙７１のなかの最後尾の印画紙７１に露光されている画像を最終プリント画像として検知する。なお、本実施の形態では、オペレータの中断命令によって露光部３０での露光処理が中断された場合には、その時点で露光部３０内にある露光処理済みの印画紙７１が全て現像部４０に供給されるようになっている。従って、この場合には、露光中断検知部３７１で中断が検知された後、露光部３０内にある露光処理済みの印画紙７１が全て現像部４０に供給された時点において、露光制御部３７が光センサ７５の出力信号に基づいて検知した露光部３０から現像部４０に供給された印画紙７１の枚数と、制御部２０のメインメモリ２２に記憶されているプレスキャンデータとから最終プリント画像が特定される。
【００３０】
周辺メモリ３７３には、制御部２０において画像処理が施された後で転送された画像処理済みの画像データであって、実際に露光処理に用いられる画像データが記憶される。ここで、周辺メモリ３７３に記憶されている画像データは、露光制御部３７に設けられた図示しないハードウェアにより、露光ユニット３６による露光処理が施された場合には、処理が終了した画像データから順次消去されると共に、露光部３０における処理が中断された場合には全て消去される。
【００３１】
現像部４０では、露光処理済みの印画紙７１に対して現像、漂白定着、安定化などの処理が施される。現像部４０は、露光部３０から供給された印画紙７１に対する現像、漂白定着、安定化の各処理を施すための処理槽４１ａ〜４１ｆと、処理槽４１ａ〜４１ｆに蓄えられた処理液の廃液および補充液のタンク４２ａ〜４２ｄと、印画紙７１を搬送するための複数のローラ対４３と、ローラ対４３を駆動するためのモータ（図示せず）とを有している。
【００３２】
仕上げ処理部５０では、現像部４０から排出された画像が顕在化した印画紙７１に対して乾燥処理が施され、さらに排出口７２から排出された印画紙７１がオーダーごとに仕分けられる。仕上げ処理部５０は、現像部４０から排出された印画紙７１を迅速に乾燥させるためのヒータ５１と、印画紙７１を搬送するための複数のローラ対５２と、ローラ対５２を駆動するためのモータ（図示せず）とを有している。印画紙７１は、ローラ対５２によって搬送されて、仕上がりプリントとして排出口７２から排出される。
【００３３】
また、インターフェイス部６０では、写真処理装置１とそれを操作するオペレータとの間の情報のやり取りが行われる。インターフェイス部６０は、写真処理装置１に関する様々な情報を表示してオペレータに告知するディスプレイ６１と、オペレータが写真処理装置１に対して制御や画像処理のための指示を与えるマウスやキーボード等（図示しない）とを有している。なお、インターフェイス部６０は、オペレータからの露光部３０での露光処理の中断命令を受けた場合には、その命令を露光部３０の露光制御部３７の露光中断検知部３７１に送信する。
【００３４】
図３は、写真フィルム８０の一部分を示したものである。写真フィルム８０には、その長手方向に沿って所定の間隔を隔てて複数のコマ画像８０ａが記録されている。そして、写真フィルム８０のコマ画像８０ａの外側（写真フィルム８０の幅方向両端部近傍）には、断続的に配置された多数の開口から構成されるパーフォレーション８０ｂが形成されている。さらに、パーフォレーション８０ｂの外側には、フィルム感度やフィルム規定枚数（撮影可能枚数）などのフィルム情報が記録されたＤＸコードであるバーコード８０ｃと、コマ番号が記録されたバーコード８０ｄとが形成されている。ここで、一般的には、写真フィルム８０は、所定数（例えば６個）のコマ画像８０ａを含む長さごとに切断されている。
【００３５】
次に、本実施の形態にかかる写真処理装置１の動作について説明する。図４は、写真処理装置１の動作手順を示すフローチャートである。
【００３６】
まず、スキャナ部１０において、複数のコマ画像が記録された写真フィルム８０がフィルム装着ユニット１１に装着されると共に、オペレータからプレスキャニングの命令を受けると、プレスキャニングが行われる（ステップ１０１）。ここで、プレスキャニングでは、写真フィルム８０のコマ画像だけでなく、バーコード８０ｃ、８０ｄを含めた写真フィルム８０全体の画像の読み取りが写真フィルム８０の先端から後端まで連続して行われる。なお、プレスキャニングは、間引き処理などの方法が用いられて比較的粗い画素数での読み取りが行われる。
【００３７】
プレスキャニングにより得られた画像データは、Ａ／Ｄコンバータでデジタルデータ信号とされた後、制御部２０のメインメモリ２２に記憶される（ステップ１０２）。その後、オペレータは、メインメモリ２２に記憶されたプレスキャンデータに基づいてディスプレイ６１に表示された画像を見て、補正が必要かどうかを判断する（ステップ１０３）。ここで、補正が必要な場合には（ステップ１０３：Ｙｅｓ）、オペレータは、適切なプリントに仕上がるように、色や濃度の補正量をキーボード等から入力する（ステップ１０４）。すると、オペレータによって入力された補正情報がメインメモリ２２に記憶される。なお、このとき、メインメモリ２２に記憶されたプレスキャンデータは消去されることなく、そのまま記憶される。一方、補正が必要でない場合には（ステップ１０３：Ｎｏ）、補正量の入力が行われないで、下記の処理に進む。
【００３８】
そして、スキャナ部１０において、再度、写真フィルム８０がフィルム装着ユニット１１に装着されると共に、オペレータから本スキャニングの命令を受けると、本スキャニングが行われる（ステップ１０５）。ここで、本スキャニングでは、写真フィルム８０のコマ画像だけが読み取られる。なお、本スキャンは、プレスキャニングの場合と比較して、より高解像度での読み取りが行われる。
【００３９】
本スキャニングにより得られた画像データは、プレスキャニングの場合と同様に、Ａ／Ｄコンバータでデジタルデータ信号に変換された後、制御部２０の入力メモリ２３１に記憶される（ステップ１０６）。すると、画像処理チップ２３２において、メインメモリ２２に記憶されている補正情報に基づいて、入力メモリ２３２に記憶されている本スキャンデータに対して、色補正や濃度補正、鮮鋭化処理などの各種画像処理が行われる（ステップ１０７）。そして、画像処理済みの画像データは、出力メモリ２３３に記憶される（ステップ１０８）。このとき、入力メモリ２３１に記憶されている本スキャンデータは消去される。
【００４０】
その後、出力メモリ２３３に記憶された画像処理済みの画像データは、露光部３０の周辺メモリ３７３に転送されて、その画像データに基づいて、露光部３０における露光処理が行われる（ステップ１０９）。このとき、制御部２０からの命令にしたがって、周辺メモリ３７３に記憶されている画像処理済みの画像データは、露光処理が終了したものから順次消去される（ステップＳ１１０）。そして、露光処理が施された印画紙７１は、現像部４０、仕上げ処理部５０において、所定の処理が施された後（ステップ１１１）、写真プリントとして排出口７２から排出される（ステップ１１２）。
【００４１】
次に、写真処理装置１の露光部３０における露光処理が中断された場合の写真処理装置１の中断処理の動作を図５を参照して説明する。図５は、写真処理装置の露光部における露光処理が中断された場合の中断処理の動作手順を示すフローチャートである。
【００４２】
先ず、露光制御部３７の露光中断検知部３７１において、露光処理が中断されたことを検知したか否かが繰り返して判断される（ステップ２０１）。そして、露光処理が中断されたことが検知されると（ステップ２０１：Ｙｅｓ）、引き続き、露光中断検知部３７１において、オペレータからの露光中断命令があったか否かが判断される（ステップ２０２）。
【００４３】
ここで、オペレータからの露光中断命令がなかった場合（ステップ２０２：Ｎｏ）には、露光制御部３７から制御部２０にエラーが発生した旨が通知される（ステップ２０３）。すると、制御部２０は、露光制御部３７に対して、露光処理の中断を要求する（ステップ２０６）。このとき、制御部２０からの命令にしたがって、周辺メモリ３７３に記憶されている画像処理済みの画像データは、全て消去される（ステップ２０７）。
【００４４】
一方、オペレータからの露光中断命令があった場合（ステップ２０２：Ｙｅｓ）には、露光制御部３７は露光部３０内の複数の搬送ローラ対３８eを駆動して、露光部３０内にある露光処理済みの印画紙７１をすべて現像部４０に供給する（ステップ２０４）。そして、露光部３０内に露光処理済みの印画紙７１が残っていない状態で、露光制御部３７から制御部２０にオペレータからの露光中断命令を受けた旨が通知される（ステップ２０５）。すると、制御部２０は、露光制御部３７に対して、露光処理の中断を要求する（ステップ２０６）。このとき、制御部２０からの命令にしたがって、周辺メモリ３７３に記憶されている画像処理済みの画像データは、全て消去される（ステップ２０７）。
【００４５】
その後、露光制御部３７の最終プリント検知部３７２において、写真処理装置１から最後に排出される写真プリントに形成されている画像である最終プリント画像が検知される（ステップ２０８）。そして、露光制御部３７は、制御部２０に対して最終プリント画像についての情報を含む応答を返信する（ステップ２０９）。すると、制御部２０は、露光制御部３７から返信された最終プリント画像についての情報に基づいて、これに対応する画像を含む確認画面表示をディスプレイ６１に表示させる（ステップ２１０）。
【００４６】
ここで、本実施の形態においてディスプレイ６１に表示される確認画面表示６２には、図６に示すように、確認メッセージ６２ａと、最終プリント画像であるコマ画像６２ｂと、コマ画像６２ｂのネガ番号およびコマ番号を含む画像情報６２ｃと、了解ボタン６２ｄとを含んでいる。なお、このとき、最終プリント画像であるコマ画像６２ｂのプレスキャンデータがメインメモリ２２に記憶されているので、確認画面表示６２のコマ画像６２ｂは、そのプレスキャンデータに基づく画像が表示される。
【００４７】
その結果、オペレータは、ディスプレイ６１に表示された確認画面表示６２を見て、どのコマ画像が露光された印画紙７１までが写真プリントとして排出口７２から排出されるかを容易に確認することができる。従って、この後、オペレータは、確認画面表示６２の了解ボタン６２ｄを押して、確認画面表示６２で確認した最終プリント画像であるコマ画像の次のコマ画像から、再度、プレスキャニングを再開する。なお、確認画面表示６２の了解ボタン６２ｄが押された時点で、メインメモリ２２、入力メモリ２３１、出力メモリ２３３および周辺メモリ３７３に記憶されている写真フィルム８０のコマ画像のプレスキャンデータ及び本スキャンデータなどの画像データは全て消去される。
【００４８】
以上のように、本実施の形態の写真処理装置１では、露光部３０での露光処理が中断された場合に、写真フィルム８０に記録された複数のコマ画像のなかのどのコマ画像が露光された印画紙７１までが写真プリントとして排出されるのかを容易に知ることができる。従って、露光部３０での露光処理が中断された場合に、オペレータは、写真処理装置１の現像部４０、仕上げ処理部５０における現像処理および仕上げ処理が終了するまで待つことなく、写真プリントとして排出されない印画紙７１に対応する画像について、速やかにプレスキャニングを再開することが可能となる。また、現像処理が施される最後尾の印画紙７１に係る画像がディスプレイ６１に表示されるので、写真フィルム８０に記録された複数のコマ画像のなかのどの画像からプレスキャニングを再開すればよいかを、確実に検知することができる。
【００４９】
また、オペレータの中断命令によって露光部３０での露光処理が中断された場合には、その時点で露光部３０内にある露光処理済みの印画紙７１が全て現像部４０に供給されるようになっている。従って、露光処理が施された印画紙７１はすべて写真プリントとして排出されるので、露光処理が施されたにも拘わらず写真プリントとして排出されないで破棄される印画紙７１をなくすことができる。従って、印画紙７１が無駄になるのを抑制することができる。
【００５０】
以上、本発明の好適な一実施の形態について説明したが、本発明は上述の実施の形態に限られるものではなく、特許請求の範囲に記載した限りにおいて、様々な設計変更を行うことが可能なものである。例えば、上述の実施の形態では、オペレータの中断命令によって露光部３０での露光処理が中断された場合には、その時点で露光部３０内にある露光処理済みの印画紙７１が全て現像部４０に供給されるようになっているが、この場合も、露光部３０内でのエラーによって露光部３０での露光処理が中断された場合と同様に、露光中断検知部３７１で中断が検知された時点において、露光部３０から現像部４０に既に供給されている印画紙７１のなかの最後尾の印画紙７１に露光されている画像を最終プリントとして検知されてもよい。
【００５１】
また、上述の実施の形態では、露光部３０での露光処理が中断された場合に、写真処理装置１から最後に排出される写真プリントに形成されたコマ画像、つまり、露光処理済みの印画紙７１で現像部４０に供給されて現像処理等が施されると検知された印画紙７１のなかの最後尾の印画紙７１に対応するコマ画像が表示され、オペレータはそのコマ画像の次のコマ画像からプレスキャニングが再開される。ここで、露光部３０での露光処理が中断された場合に、写真処理装置１から最後に排出される写真プリントに形成されたコマ画像の１つ手前のコマ画像、つまり、露光処理済みの印画紙７１で現像部４０に供給されないで現像処理等が施されないと検知された印画紙７１のなかの先頭の印画紙７１に対応するコマ画像が表示され、オペレータはそのコマ画像からプレスキャニングが再開されてもよい。
【００５２】
また、上述の実施の形態では、最終プリント検知部３７２は、光センサ７５の出力信号に基づいて検知した露光部３０から現像部４０に供給された印画紙７１の枚数に基づいて、露光部３０により露光処理が施された複数の印画紙７１のそれぞれについて現像部４０における現像処理が施されるか否かを検知しているが、その他の方法によって、露光部３０により露光処理が施された複数の印画紙７１のそれぞれについて現像部４０における現像処理が施されるか否かが検知されてもよい。
【００５３】
また、上述の実施の形態では、露光処理が中断された場合に、現像処理が施される最後尾の印画紙７１に露光されたコマ画像の次のコマ画像からプレスキャニングが再開されているが、現像処理が行われたコマ画像を含む複数のコマ画像について最初のコマ画像からプレスキャニングが再開されてもよい。
【図面の簡単な説明】
【００５４】
【図１】本発明の実施の形態に係る写真処理装置の概略構成を示す図である。
【図２】制御部および露光制御部の概略構成を示す図である。
【図３】写真フィルムの概略構成を示す図である。
【図４】写真処理装置の動作手順を示すフローチャートである。
【図５】写真処理装置の露光部における露光処理が中断された場合の中断処理の動作手順を示すフローチャートである。
【図６】ディスプレイに表示させる確認画面表示の一例を示す図である。
【符号の説明】
【００５５】
１  写真処理装置
１０  スキャナ部（画像読取部）
２０  制御部
２２  メインメモリ（第１の記憶部）
３０  露光部
３７  露光制御部
３７１  露光中断検知部（第１の検知部）
３７２  最終プリント検知部（第２の検知部）
３７３  周辺メモリ（第２の記憶部）
４０  現像部
５０  仕上げ処理部
６０  インターフェイス部
６１  ディスプレイ（表示部）
【図１】
2005073136.tif 000003
【図２】
2005073136.tif 000004
【図３】
2005073136.tif 000005
【図４】
2005073136.tif 000006
【図５】
2005073136.tif 000007
【図６】
2005073136.tif 000008